(57)【要約】【課題】コバート機能を有する積層体の有する潜像を認識されにくくすることのできる積層体、および、被判定体を提供する。【解決手段】積層体１０は、ハーフミラー層２４と、光を透過する接着層２１と、ハーフミラー層２４と接着層２１との間に位置する液晶層２２であって、接着層２１から液晶層２２に入射し、かつ、液晶層２２を透過した偏光によって潜像を可視化する液晶層２２と、を備える。【選択図】図２
2016045423.tif 000002
【特許請求の範囲】
【請求項１】
ハーフミラー層と、
光を透過する接着層と、
前記ハーフミラー層と前記接着層との間に位置して所定の偏光を透過する潜像保持層であって、前記接着層から前記潜像保持層に入射し、かつ、前記潜像保持層を透過した偏光によって潜像を可視化される前記潜像保持層と、を備える
積層体。
【請求項２】
前記接着層に対して、前記潜像保持層とは反対側に位置する基材であって、前記基材に入射した光を散乱させる前記基材をさらに備える
請求項１に記載の積層体。
【請求項３】
前記接着層に対する前記潜像保持層側に位置するホログラム形成層をさらに備える
請求項１または２に記載の積層体。
【請求項４】
前記ホログラム形成層の１つの面は、前記ハーフミラー層における前記潜像保持層とは反対側の面と接し、
前記ホログラム形成層は、前記１つの面に、前記ハーフミラー層とともに反射型ホログラムを構成する凹凸構造を有する
請求項３に記載の積層体。
【請求項５】
前記ホログラム形成層と前記ハーフミラー層との重なる方向が積層方向であり、
前記ハーフミラー層は、前記ホログラム形成層の前記凹凸構造に倣うミラー凹凸構造を有し、
前記ハーフミラー層と前記潜像保持層との間に、前記積層方向において、前記ミラー凹凸構造の高低差を緩和する緩和層をさらに備える
請求項４に記載の積層体。
【請求項６】
前記潜像保持層は、
複屈折性を有する液晶材料を含む液晶層である
請求項１に記載の積層体。
【請求項７】
前記ハーフミラー層の形成材料は、
アルミニウム、スズ、クロム、ニッケル、金、銀、および、銅から構成される群から選択される１つである
請求項１から６のいずれか一項に記載の積層体。
【請求項８】
前記基材の全光線透過率が、５０％以上である
請求項２に記載の積層体。
【請求項９】
前記基材の形成材料が、ポリ塩化ビニル、ポリカーボネート、および、ＰＥＴ−Ｇから選択される少なくとも１つを含む
請求項８に記載の積層体。
【請求項１０】
偽造抑止体を備え、前記偽造抑止体によって真贋が判定される被判定体であって、
前記偽造抑止体が、請求項１から９のいずれか一項に記載の積層体である
被判定体。
【請求項１１】
偽造抑止体を備え、前記偽造抑止体によって真贋が判定される被判定体であって、
前記偽造抑止体が、請求項２に記載の積層体であり、
前記積層体の前記基材が、前記被判定体の一部を構成している
被判定体。
【発明の詳細な説明】
【技術分野】
【０００１】
本発明は、複数の層を備える積層体、および、積層体を偽造抑止体として備える被判定体に関する。
【背景技術】
【０００２】
銀行券や商品券などの有価証券や、パスポートなどの認証媒体には、これらの偽造を抑えるために偽造の難しい積層体が貼り付けられている。こうした積層体は、例えば、目視による判定を可能にするオバート機能、または、検証器を用いた判定を可能にするコバート機能を有している。そして、有価証券や認証媒体の真贋を判定する判定者は、積層体のこれらの機能に基づいて、有価証券や認証媒体の真贋を判定している。
【０００３】
積層体のうち、例えば、コバート機能を有する積層体には、偏光技術を用いて形成された潜像を有する積層体が提案されている。こうした積層体は、例えば、潜像の形成された層を反射層よりも上の層として有している（例えば、特許文献１）。
【先行技術文献】
【特許文献】
【０００４】
【特許文献１】特開２００９−２９８０７５号公報
【発明の概要】
【発明が解決しようとする課題】
【０００５】
ところで、積層体の有する層のうち、潜像の形成された層は、反射層の上に位置しているため、積層体の観察者は、積層体に検証器をかざすことによって、積層体の有する潜像を確認することができる場合が多い。そのため、検証器の入手が可能であれば、本来は積層体が潜像を有していることを認識するべきではない者であっても、積層体が潜像を有することを認識することができる。結果として、積層体の有する潜像を認識した者が、積層体を偽造することが簡単になる。
【０００６】
なお、積層体の有する潜像が認識されにくいことは、コバート機能を有する有価証券や認証媒体に求められている。また、積層体の有する潜像が認識されにくいことは、上述した物品の偽造を抑えるために用いられる積層体に限らず、観察の対象となる積層体や、物品を装飾するための積層体などにおいても、共通に求められている。
【０００７】
本発明は、コバート機能を有する積層体の有する潜像を認識されにくくすることのできる積層体、および、被判定体を提供することを目的とする。
【課題を解決するための手段】
【０００８】
積層体の一態様は、ハーフミラー層と、光を透過する接着層と、前記ハーフミラー層と前記接着層との間に位置して所定の偏光を透過する潜像保持層であって、前記接着層から前記潜像保持層に入射し、かつ、前記潜像保持層を透過した偏光によって潜像を可視化される前記潜像保持層と、を備える。
【０００９】
被判定体の一態様は、偽造抑止体を備え、前記偽造抑止体によって真贋が判定される被判定体であって、前記偽造抑止体が、上記積層体である。
被判定体の一態様は、偽造抑止体を備え、前記偽造抑止体によって真贋が判定される被判定体であって、前記偽造抑止体が、上記積層体であり、前記積層体の前記基材が、前記被判定体の一部を構成している。
【００１０】
上記態様によれば、積層体が有する接着層は、樹脂製のカードや紙などの接着対象に貼り付けられ、積層体の有する潜像保持層は、接着対象とハーフミラー層とによって挟まれる。この際に、積層体の外部のなかで、潜像保持層よりもハーフミラー層側を観察側とし、潜像保持層よりも接着層側を照射側とする。そして、観察側における光の強度が、照射側における光の強度よりも低いとき、照射側の光の一部は、積層体を透過して観察側に射出され、観察側においては、潜像保持層の保持する潜像が可視化される。これに対して、観察側における光の強度が、照射側における光の強度よりも高いとき、照射側の光のなかで積層体を透過した光は、観察側における光の強度よりも十分に弱く、結果として、潜像保持層の保持する潜像が可視化されにくい。
【００１１】
加えて、上記態様によれば、潜像保持層に入射される光が所定の偏光であり、かつ、潜像保持層を透過した偏光が偏光フィルタを介して視認されたときのみ潜像が可視化されるため、ハーフミラー層の機能が認識されるのみでは、積層体の潜像保持層における潜像が可視化されない。そのため、積層体の有する潜像が、より認識されにくくなる。
【００１２】
積層体の他の態様において、前記接着層に対して、前記潜像保持層とは反対側に位置する基材であって、前記基材に入射した光を散乱させる前記基材をさらに備えることが好ましい。
【００１３】
上記積層体の他の態様によれば、光を散乱させる基材が、接着層に対する潜像保持層とは反対側に位置する。そのため、潜像保持層に対する基材側から積層体に入射した光は、潜像保持層を透過して、積層体から射出される前に、基材によって散乱される。それゆえに、積層体に対する基材側から積層体が視認されても、積層体の有する潜像が視認されにくくなる。結果として、積層体の有する潜像が認識されない状態が増える。
【００１４】
上記積層体の他の態様において、前記接着層に対する前記潜像保持層側に位置するホログラム形成層をさらに備えることが好ましい。
上記積層体の他の態様によれば、積層体は、ホログラム形成層からの再生像を表示することができるため、積層体に光学的な効果が付加される分、積層体の有する潜像が認識されにくくなる。
【００１５】
上記積層体の他の態様において、前記ホログラム形成層の１つの面は、前記ハーフミラー層における前記潜像保持層とは反対側の面と接し、前記ホログラム形成層は、前記１つの面に、前記ハーフミラー層とともに反射型ホログラムを構成する凹凸構造を有することが好ましい。
【００１６】
上記積層体の他の態様によれば、ハーフミラー層の第１面における光の強度と、第２面における光の強度とがほぼ等しいとき、ハーフミラー層の反射光としてホログラム形成層の再生像が形成される。そのため、積層体を視認した人は、積層体が、ホログラムの再生する機能の他に、可視化することのできる潜像を保持していることに気付きにくい。それゆえに、積層体の有する潜像が認識されにくくなる。
【００１７】
上記積層体の他の態様において、前記ホログラム形成層と前記ハーフミラー層との重なる方向が積層方向であり、前記ハーフミラー層は、前記ホログラム形成層の前記凹凸構造に倣うミラー凹凸構造を有し、前記ハーフミラー層と前記潜像保持層との間に、前記積層方向において、前記ミラー凹凸構造の高低差を緩和する緩和層をさらに備えることが好ましい。
【００１８】
上記積層体の他の態様によれば、緩和層によってハーフミラー層の高低差が緩和されるため、ホログラム形成層の有する凹凸構造によって、潜像保持層の保持する潜像が影響されにくくなる。
【００１９】
上記積層体の他の態様において、前記潜像保持層は、複屈折性を有する液晶材料を含む液晶層であることが好ましい。
上記積層体の他の態様によれば、潜像保持層を容易に実現することができる。
【００２０】
上記積層体の他の態様において、前記ハーフミラー層の形成材料は、アルミニウム、スズ、クロム、ニッケル、金、銀、および、銅から構成される群から選択される１つであることが好ましい。
【００２１】
上記積層体の他の態様において、前記基材の全光線透過率が、５０％以上であることが好ましい。
上記積層体の他の態様によれば、積層体に入射した光は、潜像保持層の潜像が可視化される上で好ましい強度で積層体を透過する。
【００２２】
上記積層体の他の態様において、前記基材の形成材料が、ポリ塩化ビニル、ポリカーボネート、および、ＰＥＴ−Ｇから選択される少なくとも１つを含むことが好ましい。
【発明の効果】
【００２３】
本発明によれば、積層体の有する潜像を認識されにくくすることができる。
【図面の簡単な説明】
【００２４】
【図１】本発明の積層体、および、被判定体を具体化した１つの実施形態における積層体の斜視構造を示す斜視図である。
【図２】積層体の断面構造を示す断面図である。
【図３】配向層と液晶層との構成を説明するための図である。
【図４】ハーフミラー層の機能を説明するための図である。
【図５】ハーフミラー層の機能を説明するための図である。
【図６】積層体の作用を説明するための図である。
【図７】積層体の作用を説明するための図である。
【図８】積層体の作用を説明するための図である。
【図９】積層体の作用を説明するための図である。
【図１０】積層体の作用を説明するための図である。
【図１１】積層体の作用を説明するための図である。
【図１２】積層体の作用を説明するための図である。
【図１３】積層体の作用を説明するための図である。
【図１４】従来の積層体における作用を説明するための作用図である。
【図１５】従来の積層体における作用を説明するための作用図である。
【図１６】被判定体の平面構造を示す平面図である。
【図１７】積層ラベルの変形例における断面構造を示す断面図である。
【図１８】積層ラベルの変形例における断面構造を示す断面図である。
【図１９】積層ラベルの変形例における断面構造を示す断面図である。
【図２０】積層ラベルの変形例における断面構造を示す断面図である。
【図２１】積層ラベルの変形例における断面構造を示す断面図である。
【図２２】積層ラベルの変形例における断面構造の一部を拡大して示す部分拡大断面図である。
【図２３】積層ラベルの変形例における断面構造を示す断面図である。
【発明を実施するための形態】
【００２５】
図１から図１６を参照して、積層体、および、被判定体を具体化した１つの実施形態を説明する。以下では、積層体の構成、積層体の作用、および、被判定体の構成を順番に説明する。
【００２６】
［積層体の構成］
図１から図５を参照して積層体の構成を説明する。なお、図１では、説明の便宜上、積層体の有する潜像が可視化されたときの画像が、積層体とともに示されている。
【００２７】
図１が示すように、積層体１０は、散乱性基材１１と積層ラベル２０とを備え、積層ラベル２０は、散乱性基材１１と対向する面に接着性を有し、散乱性基材１１に接着している。散乱性基材１１は、例えば、矩形板形状を有しているが、円板形状などの他の形状を有してもよい。積層ラベル２０は、例えば、矩形板形状を有しているが、散乱性基材１１と同様、円板形状などの他の形状を有してもよい。
【００２８】
積層体１０は潜像を保持し、積層体１０に対して所定の条件を満たす光、例えば偏光が入射したとき、潜像が画像３０として可視化される。画像３０は、例えば、背景３１と、文字や図形などから構成される情報３２とを備え、本実施形態における画像３０は、例えば、情報３２として星形形状を有する図形を備えている。なお、図１では、画像３０における背景３１と情報３２とを区別する便宜上、背景３１にドットが付されている。
【００２９】
図２が示すように、積層体１０は、散乱性基材１１と積層ラベル２０とを備えている。積層ラベル２０は、散乱性基材１１に近い側から順に、接着層２１、液晶層２２、配向層２３、ハーフミラー層２４、および、基材層２５を備えている。
【００３０】
すなわち、積層体１０は、ハーフミラー層２４と、光を透過する接着層２１と、ハーフミラー層２４と接着層２１との間に位置する液晶層２２とを備えている。液晶層２２は、液晶層２２に入射し、かつ、液晶層２２を透過した光によって潜像を可視化される。液晶層２２は、所定の偏光を透過することで、液晶層２２の保持している潜像が可視化される。液晶層２２が、潜像保持層の一例である。また、積層体１０は、接着層２１に対して液晶層２２とは反対側に位置する散乱性基材１１を備え、散乱性基材１１は、散乱性基材１１に入射した光を散乱させる。
【００３１】
散乱性基材１１は、積層ラベル２０の備える接着層２１が接着する被接着体であり、散乱性基材１１は、接着層２１と容易に接着できることが好ましい。散乱性基材１１は、例えば、セロハン、ポリカーボネート（ＰＣ）、ポリエチレン（ＰＥ）、ポリプロピレン（ＰＰ）、ポリオレフィン（ＰＯ）、エチレンビニルアルコール（ＥＶＯＨ）、ポリビニルアルコール（ＰＶＡ）、ポリ塩化ビニル（ＰＶＣ）、ポリエチレンナフタレート（ＰＥＮ）、ポリエチレンテレフタレート（ＰＥＴ）、ナイロン、アクリル樹脂、トリアセチルセルロース（ＴＡＣ）、および、ＰＥＴ−Ｇから構成されたフィルムなどである。
【００３２】
散乱性基材１１は、上述した樹脂材料を主材料として含み、散乱性基材１１に散乱性を与えるための副材料であるフィラーを形成材料としてさらに含んでいる。あるいは、散乱性基材１１の主材料がフィラーを含む状態で延伸されることにより、主材料とフィラーとから構成されるフィルムの内部に空気を含ませることで、散乱性基材１１に散乱性が与えられる。フィラーは、例えば、球形状を有してもよいし、不定形状でもよい、すなわち、複数種類の形状のフィラーから構成されてもよいし、中空形状を有してもよい。
【００３３】
散乱性基材１１は、散乱性基材１１を透過した光によって、積層ラベル２０の保持する潜像を可視化することのできる程度の透過性を有していれば良い。散乱性基材１１は、こうした条件を満たしていれば、上述した各材料から構成されるフィルムの少なくとも２つが積層された積層構造を有してもよいし、上述した材料のうち、少なくとも２つが複合された複合材料によって構成されたフィルムであってもよい。
【００３４】
あるいは、散乱性基材１１の形成材料は紙であってもよい。散乱性基材１１は、紙と上述したフィルムとが積層された積層構造を有してもよい。
なお、上述したように、積層ラベル２０の保持する潜像を可視化する上では、散乱性基材１１の全光線透過率は、５０％以上であることが好ましく、８０％以上であることがより好ましい。
【００３５】
接着層２１の形成材料は、光を透過し、かつ、散乱性基材１１に対する接着性を有していればよく、合成によって得られる材料であってもよいし、天然の材料であってもよい。
接着層２１の形成材料が合成によって得られる材料であるとき、接着層２１の形成材料は、例えば、酢酸ビニル樹脂、ポリビニルアルコール、エチレン酢酸ビニル樹脂、アクリル樹脂、ポリアミド、セルロース、ポリビニルピロリドン、ポリスチレン、シアノアクリレート、ポリビニルアセタール、エポキシ樹脂、ウレタン樹脂、ポリアロマティック系樹脂、ユリア樹脂、メラミン樹脂、フェノール樹脂、レジルシノール樹脂、エステル樹脂、クロロプレンゴム、ニトリルゴム、スチレンブタジエンゴム、熱可塑性エラストマー、ブチルゴム、シリコーン、変性シリコン、シリル化ウレタン、ウレタンゴム、ポリサルファイド、および、アクリルゴムなどである。
【００３６】
接着層２１の形成材料が天然の材料であるとき、接着層２１の形成材料は、例えば、デンプン、天然ゴム、にかわ、カゼイン、および、大豆蛋白などである。
基材層２５は、可撓性を有することが好ましく、また、散乱性基材１１を透過した光によって、積層ラベル２０の保持する潜像を可視化することのできる程度の透過性を有していればよい。
【００３７】
基材層２５は、押出加工やキャスト加工により製造された無延伸フィルム、および、延伸加工により製造された延伸フィルムなどである。基材層２５が延伸フィルムであるとき、基材層２５は、１軸延伸フィルムであってもよいし、２軸延伸フィルムであってもよい。
【００３８】
無延伸フィルム、および、延伸フィルムの形成材料は、例えば、セロハン、ポリカーボネート（ＰＣ）、ポリエチレン（ＰＥ）、ポリプロピレン（ＰＰ）、ポリオレフィン（ＰＯ）、エチレンビニルアルコール（ＥＶＯＨ）、ポリビニルアルコール（ＰＶＡ）、ポリ塩化ビニル（ＰＶＣ）、ポリエチレンナフタレート（ＰＥＮ）、ポリエチレンテレフタレート（ＰＥＴ）、ナイロン、アクリル樹脂、および、トリアセチルセルロース（ＴＡＣ）などである。
【００３９】
基材層２５の上に形成される液晶層２２の位相差値を乱されにくくするためには、基材層２５は、無延伸フィルムであることが好ましい。ただし、延伸したフィルムのうち、延伸したＰＥＴフィルムは、積層体１０の製造工程において用いられる溶剤に対して優れた耐性を有するなど、製造工程に対する適正を有することから、基材層２５として用いられてもよい。
【００４０】
図３を参照して液晶層および配向層の構成を説明する。
配向層２３の形成材料は感光性材料であり、例えば、アゾベンゼン誘導体の光異性化、桂皮酸エステル、クマリン、カルコン、および、ベンゾフェノンなどの誘導体における光二量化若しくは光架橋、または、ポリイミドなどの光分解のいずれかによって感光性を示す材料である。
【００４１】
配向層２３が形成されるときには、まず、上述した材料のいずれかを含む塗膜が、例えば、グラビアコーティング法、および、マイクログラビアコーティング法などの方法によって形成される。次いで、塗膜に対して直線偏光が照射される、または、塗膜に対して所定の角度を有する自然光が照射される。これにより、塗膜に含まれる分子が異方的に再配列する、あるいは、塗膜に含まれる分子における化学反応が誘起されることで、配向規制力を有した配向層２３が形成される。
【００４２】
液晶層２２の形成材料である液晶材料は、複屈折性を有する材料である。なお、複屈折とは、物質の屈折率が光軸方向によって異なることであり、そのため、複屈折性を有した物質の内部を光が通過するとき、光の光軸方向によって光の速度が異なる。それゆえに、複屈折性を有する物質を通過した後の光では、光の光軸方向によって、複屈折性を有する物質を通過する速度の差の分だけ位相差が生じる。
【００４３】
液晶材料は、上述のように配向規制力を有した配向層２３の上に塗布されると、液晶材料の含む液晶分子が、配向層２３を構成する分子の異方的な配列などに対応して配向する。液晶層２２の位相差値は、液晶層２２の複屈折率と膜厚とによって決まる。
【００４４】
液晶層２２の形成材料である液晶材料は、メソゲン基の両端にアクリレートが位置する光硬化型液晶モノマー、電子線（ＥＢ）若しくは紫外線（ＵＶ）で硬化する高分子液晶、ポリマー主鎖にメソゲン基を提げた高分子液晶、および、液晶分子の主鎖自体が配向する液晶性高分子などである。これらの液晶材料が、配向層２３の上に塗布された後、液晶相から等方相への転移を起こす温度よりも所定の温度だけ低い温度で熱処理されることにより、液晶層２２において配向層２３に応じた配向が促進される。
【００４５】
図３が示すように、配向層２３の配向規制力によって所定の配向を与えられた液晶層２２に所定の偏光Ｐが入射し、かつ、液晶層２２と配向層２３とを透過した光に含まれる所定の偏光が偏光フィルタＦによって取り出される。液晶層２２は、例えば、液晶層２２に入射する偏光Ｐの振動方向と、検証器としての偏光フィルタＦによって取り出される偏光の振動方向とが平行であるとき、液晶層２２の保持している潜像が可視化される。これにより、液晶層２２によって保持された潜像が、背景３１と情報３２とから構成される画像３０として可視化される。
【００４６】
図４および図５を参照してハーフミラー層の構成を説明する。
ハーフミラー層２４の形成材料は、例えば、アルミニウム、スズ、クロム、ニッケル、金、銀、および、銅などの金属材料の単体、または、これら金属の化合物などである。ハーフミラー層２４を形成する方法は、例えば、真空蒸着法、スパッタリング法、および、ＣＶＤ法などである。ハーフミラー層２４は、例えば、数十ｎｍから数百ｎｍ程度の厚さを有し、可視光を所定の透過率で透過することができる。ハーフミラー層２４の透過率は、例えば、上述した散乱性基材１１などの透過率と比べて十分に小さい。
【００４７】
図４が示すように、ハーフミラー層２４は、例えば、第１面２４ａと、第１面２４ａとは反対側の第２面２４ｂとを備えている。そして、ハーフミラー層２４の第１面２４ａにおける光の強度と、第２面２４ｂにおける光の強度とが相互にほぼ等しいとき、第２面２４ｂから第１面２４ａに向けて透過した透過光Ｔの強度は、第１面２４ａにおける反射光Ｒの強度以下になる。
【００４８】
そのため、第１面２４ａにおける光の強度と、第２面２４ｂにおける光の強度とが相互にほぼ等しいとき、ハーフミラー層２４の第１面２４ａ側において、第２面２４ｂから第１面２４ａに向けた透過光Ｔが反射光Ｒによってかき消される。そのため、ハーフミラー層２４の第１面２４ａ側において、透過光Ｔは視認されない。
【００４９】
一方で、図５が示すように、ハーフミラー層２４の第２面２４ｂにおける光の強度が、第１面２４ａにおける光の強度よりも十分に大きいとき、第２面２４ｂから第１面２４ａに向けた透過光Ｔの強度が、第１面２４ａにおける反射光Ｒの強度よりも十分に大きくなる。そのため、ハーフミラー層２４の第１面２４ａ側において、透過光Ｔが視認される。
【００５０】
なお、ハーフミラー層２４の第１面２４ａから第２面２４ｂに向けた透過光も、第２面２４ｂから第１面２４ａに向けた透過光Ｔと同様、第１面２４ａにおける光の強度が、第２面２４ｂにおける光の強度よりも十分に大きいときに、第２面２４ｂ側において視認される。
【００５１】
［積層体の作用］
図６から図１５を参照して積層体の作用を説明する。
図６が示すように、例えば、積層体１０の外部のなかで、液晶層２２に対して散乱性基材１１側に光源が位置するとき、液晶層２２よりも散乱性基材１１側が照射側であり、液晶層２２よりもハーフミラー層２４側が観察側であり、照射側の光の強度ＬＩ１が、観察側の光の強度ＬＩ２よりも十分に高い。そして、偏光フィルタＦは、積層体１０の基材層２５と対向し、かつ、観察者Ｏｂは、偏光フィルタＦを挟んで積層体１０と対向している。
【００５２】
そのため、散乱性基材１１に入射した光は、ハーフミラー層２４を透過して、基材層２５から積層体１０の外部に射出される。射出された光は、基材層２５と対向する観察者Ｏｂによって視認される。
【００５３】
このとき、散乱性基材１１に入射する光が所定の偏光Ｐ１であれば、偏光Ｐ１が、液晶層２２に入射し、液晶層２２を透過した偏光Ｐ１が配向層２３に入射して、配向層２３を透過する。次いで、配向層２３を透過した偏光Ｐ１は、ハーフミラー層２４と基材層２５とを透過して、基材層２５から積層体１０の外部に射出される。なお、積層ラベル２０に入射する偏光Ｐ１は、偏光Ｐ１を射出する光源からの光であってもよいし、積層ラベル２０に入射する前に、偏光フィルタによって非偏光から取り出された光であってもよい。
【００５４】
偏光Ｐ１のうち、液晶層２２を透過する際に位相差シフトの影響を受けなかった偏光Ｐ１と同じ振動方向を有する偏光Ｐ２が、基材層２５と対向する偏光フィルタＦによって取り出される。
【００５５】
結果として、図７が示すように、積層体１０の保持している潜像が、背景３１と、星形形状の図形から構成される情報３２とを備える画像３０として可視化される。これにより、観察者Ｏｂは、画像３０を視認することができる。
【００５６】
これに対して、図８が示すように、上述と同様、照射側の光の強度ＬＩ１が、観察側の光の強度ＬＩ２よりも十分に大きい一方で、散乱性基材１１に入射する光は非偏光ＵＰである。このとき、ハーフミラー層２４を透過した非偏光ＵＰが、液晶層２２を透過し、基材層２５から積層体１０の外部に射出される。
【００５７】
積層体１０の外部に射出された非偏光ＵＰのうち、偏光フィルタＦを通過した非偏光ＵＰから偏光Ｐ１が取り出される。つまり、液晶層２２を透過した光が偏光フィルタＦに入射しても、偏光フィルタＦに入射した光が非偏光ＵＰであるため、偏光フィルタＦによって、液晶層２２の保持している潜像は可視化されない。
【００５８】
結果として、図９が示すように、積層体１０の外部のうちで、観察側に位置する観察者Ｏｂは、積層体１０のうち、液晶層２２の保持する潜像を視認することができず、散乱性基材１１を視認する。
【００５９】
なお、以下の場合であっても、観察者Ｏｂは、液晶層２２を透過した光を視認することができる。すなわち、積層体１０の外部のなかで、液晶層２２に対して基材層２５側に光源が位置するとき、液晶層２２よりもハーフミラー層２４側が照射側であり、液晶層２２よりもハーフミラー層２４側が観察側であり、照射側の光の強度ＬＩ２が、観察側の光の強度ＬＩ１よりも十分に高い。そして、偏光フィルタＦが、散乱性基材１１と対向し、かつ、観察者Ｏｂが、偏光フィルタＦを挟んで積層体１０と対向している。
【００６０】
この場合であっても、基材層２５に入射する光が偏光Ｐ１であれば、偏光Ｐ１が液晶層２２を透過する。しかしながら、液晶層２２を透過した光は、積層体１０から射出する前に、散乱性基材１１によって散乱されるため、射出された光が偏光フィルタＦを通って視認されても、潜像の可視化された像は視認されない。
【００６１】
図１０が示すように、例えば、積層体１０の外部のなかで、液晶層２２よりも散乱性基材１１側が非観察側であり、液晶層２２よりもハーフミラー層２４側が観察側であり、非観察側の光の強度ＬＩ１が、観察側の光の強度ＬＩ２とほぼ同じである。そして、偏光フィルタＦは、積層体１０の基材層２５と対向し、かつ、観察者Ｏｂは、偏光フィルタＦを挟んで積層体１０と対向している。
【００６２】
このとき、散乱性基材１１に入射した光Ｌの少なくとも一部は、ハーフミラー層２４を透過する。ただし、散乱性基材１１に入射した光Ｌのほとんどは、ハーフミラー層２４を透過しないため、ハーフミラー層２４を透過した光Ｌは、基材層２５に入射して、かつ、ハーフミラー層２４において反射された偏光Ｐ１によってかき消される。
【００６３】
一方で、偏光フィルタＦを介して基材層２５に入射した偏光Ｐ１のほとんどは、ハーフミラー層２４における基材層２５と接する面において反射されるため、基材層２５に入射した偏光Ｐ１のほとんどは、潜像を保持している液晶層２２には到達しない。そして、ハーフミラー層２４において反射された偏光Ｐ１のうち、偏光フィルタＦを通過した偏光Ｐ２が、観察者Ｏｂによって視認される。
【００６４】
結果として、図１１が示すように、積層体１０に入射する光が偏光であれ、非偏光であれ、観察者Ｏｂは、ハーフミラー層２４を視認する。
図１２が示すように、積層体１０の外部のなかで、液晶層２２に対する散乱性基材１１側が観察側であり、液晶層２２よりもハーフミラー層２４側が非観察側であり、観察側における非偏光ＵＰの強度ＬＩ１と、非観察側における非偏光ＵＰの強度ＬＩ２とが、相互にほぼ等しい。そして、偏光フィルタＦは、散乱性基材１１と対向し、かつ、観察者Ｏｂは、偏光フィルタＦを挟んで積層体１０と対向している。
【００６５】
このとき、偏光フィルタＦを通過して散乱性基材１１に入射した偏光Ｐ１のほとんどは、液晶層２２および配向層２３を透過して、ハーフミラー層２４のうち、配向層２３と接する面において反射される。そして、ハーフミラー層２４において反射された偏光Ｐ１は、配向層２３および液晶層２２を透過して、散乱性基材１１から積層体１０の外部に射出される。
【００６６】
このとき、液晶層２２を透過した光は、積層体１０から射出される前に散乱性基材１１によって散乱される。これにより、偏光フィルタＦを介して視認される光は、散乱性基材１１によって散乱された光であるため、積層体１０から射出された光が、偏光フィルタＦを通して視認されても、潜像が可視化された像は視認されない。
【００６７】
図１３が示すように、結果として、観察側に位置する観察者Ｏｂは、積層体１０のうち、散乱性基材１１を視認する。
図１４が示すように、比較例の積層体４０は、散乱性基材１１と、散乱性基材１１に貼り付いた積層ラベル５０とを備えている。積層ラベル５０は、散乱性基材１１に近い側から順に、接着層２１、基材層２５、反射層５１、配向層２３、および、液晶層２２を備えている。
【００６８】
比較例の積層体４０において、偏光フィルタＦが液晶層２２と対向し、かつ、観察者Ｏｂが偏光フィルタＦを挟んで積層体４０と対向している。積層体４０の外部のなかで、液晶層２２よりも散乱性基材１１側が非観察側であり、液晶層２２よりも反射層５１側が観察側であり、非観察側の光の強度ＬＩ１と、観察側の光の強度ＬＩ２とが相互にほぼ等しい。このとき、非偏光ＵＰが偏光フィルタＦを通過して、非偏光ＵＰのうち、偏光Ｐ１が取り出される。
【００６９】
そして、偏光Ｐ１が液晶層２２に入射し、液晶層２２に入射した偏光Ｐ１は、反射層５１における配向層２３と接する面において反射され、液晶層２２から積層体４０の外部に射出される。液晶層２２により、位相が変化しなかった偏光Ｐ１は偏光フィルタＦを通過できるため、偏光Ｐ２として取り出される。
【００７０】
結果として、図１５が示すように、観察者Ｏｂは、液晶層２２の保持している潜像が可視化された画像３０を視認することができる。
このように、比較例の積層体４０では、積層体４０の観察者Ｏｂは、偏光フィルタＦを積層体４０の液晶層２２と対向させさえすれば、積層体４０に入射させる光が、積層体４０において強度の勾配を有しない非偏光ＵＰによって、液晶層２２の潜像が可視化される。
【００７１】
これに対して、本実施形態の積層体１０によれば、以下の条件が満たされるときにのみ、液晶層２２の保持している潜像が、観察者Ｏｂによって視認される。
すなわち、積層体１０の外部のなかで、液晶層２２よりも散乱性基材１１側およびハーフミラー層２４側の一方である照射側の光の強度が、他方である観察側の光の強度よりも高いことで、積層体１０に入射した光がハーフミラー層２４を透過することが満たされる必要がある。さらに、積層体１０に入射する光が偏光であることが満たされる必要がある。
【００７２】
そのため、比較例の積層体４０のように、観察者Ｏｂが積層体４０に偏光フィルタＦをかざすのみで潜像が視認される構成と比べて、上述の条件が満たされてはじめて潜像が視認される分、積層体１０によれば、積層体１０の有する潜像が認識されにくくなる。
【００７３】
また、積層体１０は、潜像を保持した積層ラベル２０と、散乱性基材１１とが貼り合わされた構成であるため、積層体１０を偽造するためには、積層ラベル２０の積層構造と、散乱性基材１１における散乱性との両方を積層体１０と等しくする必要がある。それゆえに、積層ラベル２０のみを有する構成と比べて、散乱性基材１１を備える分、これらの組み合わせによって光学的な特性が複雑になる。結果として、積層体１０における偽造に対する耐性が高まる。
【００７４】
［被判定体の構成］
図１６を参照して、被判定体の構成を説明する。
図１６が示すように、被判定体６０は、基体６１と、基体６１に接着した積層ラベル２０とを備えている。被判定体６０は、例えば、クレジットカードやキャッシュカードなどの各種カードである。基体６１は、例えば、上述した散乱性基材１１であるが、被判定体６０は、積層体１０の散乱性基材１１とは別の基体６１を備えてもよい。また、被判定体６０は、各種カードに限らず、例えば、銀行券や商品券などの有価証券や、パスポートなどの認証媒体であってもよい。
【００７５】
積層ラベル２０、および、基体６１としての散乱性基材１１とが、被判定体６０の偽造を抑えるための偽造抑止体の一例であり、積層ラベル２０の備える液晶層２２の保持している潜像が、被判定体６０に対する真贋の判定に用いられる。被判定体６０における真贋の判定において、積層ラベル２０が潜像を有しているとき、被判定体６０は本物であると判定される一方で、積層ラベル２０が潜像を有していないとき、被判定体６０は偽物であると判定される。
【００７６】
そのため、被判定体６０の偽造を抑える、すなわち、本物の被判定体６０に対して偽物の被判定体を高い精度で区別するためには、被判定体６０における真贋の判定の基準となる積層体１０の潜像が、被判定体６０の真贋を判定する判定者のみに認識されていることが好ましい。
【００７７】
上述したように、積層体１０によれば、積層体１０の保持している潜像が認識されにくいことから、被判定体６０を偽造しようとする偽造者が、積層体１０の有する潜像を認識する可能性を低くすることができる。そのため、被判定体６０が積層ラベル２０を備えることで、被判定体６０における偽造に対する耐性を高めることができる。
【００７８】
［実施例］
［実施例１］
無延伸のＴＡＣフィルムから構成される基材層２５の上に、真空蒸着法を用いて５０ｎｍの厚さを有するアルミニウム膜をハーフミラー層２４として形成した。次いで、ハーフミラー層２４の上に、マイクログラビア法を用いて光配向剤ＩＡ−０１（ＤＩＣ（株）製）を０．１μｍの厚さで塗布して、配向層２３を形成した。
【００７９】
そして、偏光露光機を用いて配向層２３に対して露光処理を行った。このとき、配向層２３において画像３０の情報３２を構成する星形形状に対応する部位に、配向層２３に対して０°方向に星形形状の開口を有するマスクを用いたパターン露光を行った。その後、配向層２３に対して、星形形状にパターン露光を行ったときの露光方向から４５°傾けた方向に全面露光を行った。これにより、配向層２３をパターニングした。
【００８０】
そして、マイクログラビア法を用いてＵＶキュアラブル液晶ＵＣＬ−００８（ＤＩＣ（株）製）を配向層２３の上に塗工して、液晶層２２を形成した。このとき、液晶層２２の膜厚を、液晶層２２の位相差値がλ/２となる厚さとした。次いで、窒素雰囲気下において液晶層２２に紫外線を照射して、液晶層２２を硬化させることにより、潜像を保持した液晶層２２を形成した。その後、アクリル系樹脂から構成される接着剤を１０μｍ程の厚さで塗布して接着層２１を形成し、接着層２１にセパレータを貼り合わせた。
【００８１】
その後、基材層２５、ハーフミラー層２４、配向層２３、液晶層２２、接着層２１、および、セパレータの積層された積層体を所定の形状に型抜きし、セパレータを有する積層ラベル２０を形成した。そして、積層ラベル２０に貼り合わせられたセパレータを剥がし、全光線透過率が８０％であり、かつ、矩形板形状を有する散乱性基材１１に、積層ラベル２０を貼り合わせた。なお、散乱性基材１１の形成材料は、ＰＥＴ−Ｇを含む複合材料であった。
【００８２】
積層ラベル２０を有する散乱性基材１１を、平行ニコルの状態で配置された２つの偏光フィルタＦで挟んだ状態で、２つの偏光フィルタＦを回転させながら、積層ラベル２０を観察した。このとき、積層体１０の外部のなかで、散乱性基材１１における光の強度を積層ラベル２０の基材層２５における光の強度よりも高くすることで、散乱性基材１１に入射した光にハーフミラー層２４を透過させ、ハーフミラー層２４を透過した光を基材層２５から射出させた。これにより、基材層２５と対向する偏光フィルタＦを通過した光を観察することで、背景３１と情報３２とを備える画像３０を観察することができた。
【００８３】
以上説明したように、実施形態によれば、以下に列挙する効果を得ることができる。
（１）積層体１０が有する接着層２１は、散乱性基材１１に貼り付けられ、積層体１０の有する液晶層２２は、散乱性基材１１とハーフミラー層２４とによって挟まれる。この際に、積層体１０の外部のなかで、液晶層２２よりもハーフミラー層２４側を観察側とし、液晶層２２よりも接着層２１側を照射側とする。そして、観察側における光の強度が、照射側における光の強度よりも低いとき、照射側の光の一部は、積層体１０を透過して観察側に射出され、観察側においては、液晶層２２の保持する潜像が可視化される。これに対して、観察側における光の強度が、照射側における光の強度よりも高いとき、照射側の光のなかで積層体１０を透過した光は、観察側における光の強度よりも十分に弱く、結果として、液晶層２２の保持する潜像が可視化されにくい。
【００８４】
（２）液晶層２２に入射される光が偏光であり、かつ、液晶層２２を透過した偏光が偏光フィルタＦを介して視認されたときのみ潜像が可視化されるため、ハーフミラー層２４の機能が認識されるのみでは、積層体１０の液晶層２２における潜像が可視化されない。そのため、積層体１０の有する潜像が、より認識されにくくなる。
【００８５】
（３）積層体１０において、光を散乱させる散乱性基材１１が、接着層２１に対する液晶層２２とは反対側に位置する。そのため、液晶層２２に対する散乱性基材１１側から積層体１０に入射した光は、液晶層２２を透過して、積層体１０から射出される前に、散乱性基材１１によって散乱される。それゆえに、積層体１０に対する散乱性基材１１側から積層体１０が視認されても、積層体１０の有する潜像が視認されにくくなる。結果として、積層体１０の有する潜像が認識されない状態が増える。
【００８６】
（４）散乱性基材１１の全光線透過率が５０％以上であるため、積層体１０に入射した光は、液晶層２２の潜像が可視化される上で好ましい強度で積層体１０を透過する。
（５）潜像を保持する層が複屈折性を有する液晶材料を含む液晶層２２であるため、潜像保持層を容易に実現することができる。
【００８７】
［積層ラベルの変形例］
上述した積層ラベル２０は、以下のように適宜変更して実施することもできる。
・図１７が示すように、積層ラベル２０は、接着層２１と液晶層２２との間に位置する密着層７１を備えてもよい。密着層７１は、液晶層２２と接着層２１とが直接接する構成よりも、液晶層２２と接着層２１との間の密着性を高める機能と、積層ラベル２０に入射した光に対する透過性とを有する。こうした構成であっても、接着層２１とハーフミラー層２４との間に液晶層２２を備えるため、上述した（１）に準じた効果を得ることはできる。
【００８８】
・図１８が示すように、積層ラベル２０は、配向層２３とハーフミラー層２４との間に位置する密着層７１を備えてもよい。密着層７１は、配向層２３とハーフミラー層２４とが直接接する構成よりも、配向層２３とハーフミラー層２４との間の密着性を高める機能を有する。こうした構成であっても、接着層２１とハーフミラー層２４との間に液晶層２２を備えるため、上述した（１）に準じた効果を得ることはできる。
【００８９】
・図１９が示すように、積層ラベル２０は、ハーフミラー層２４と基材層２５との間に位置する密着層７１を備えてもよい。密着層７１は、ハーフミラー層２４と基材層２５とが直接接する構成よりも、ハーフミラー層２４と基材層２５との間の密着性を高める機能を有する。こうした構成であっても、接着層２１とハーフミラー層２４との間に液晶層２２を備えるため、上述した（１）に準じた効果を得ることはできる。
【００９０】
・図１７から図１９における密着層７１は、積層ラベル２０における機械的強度や、化学的な耐性を高める機能を有する耐性向上層であってもよい。あるいは、密着層７１は、上述した密着性と耐性を向上させる機能との両方を有する層であってもよい。なお、配向層２３の配向規制力によって液晶層２２を構成する液晶分子を配列させる必要が有るため、密着層７１は、配向層２３と液晶層２２との間に位置することはできないが、積層ラベル２０における配向層２３と液晶層２２との間以外の部位には位置することが可能である。
【００９１】
・図２０が示すように、積層ラベル２０の耐候性を高める上では、積層ラベル２０は、基材層２５に対するハーフミラー層２４とは反対側に位置する耐候性向上層７２を備えていてもよい。耐候性向上層７２は、例えば、紫外線吸収剤を含む層である。また、耐候性向上層７２は、積層ラベル２０に入射した光に対する透過性を有する。
【００９２】
・図２０における耐候性向上層７２は、サーマルリボンを用いた印字に対する適正を有した受像層であってもよい。受像層は、例えば、接着性を有する成分としてポリエステル樹脂を含む層で有ればよい。あるいは、耐候性向上層７２は、上述した耐候性と、サーマルリボンを用いた印字に対する適正との両方を有した層であってもよい。
【００９３】
・図２１が示すように、積層ラベル２０は、反射型ホログラムを備えてもよい。この場合には、積層ラベル２０は、基材層２５とハーフミラー層２４との間に位置するホログラム形成層７３を備え、ホログラム形成層７３は、ハーフミラー層２４と接する面に、例えばエンボス加工によって形成された凹凸構造を有していればよい。そして、ハーフミラー層２４が、凹凸構造に沿って形成されることで、ホログラム形成層７３とハーフミラー層２４とによって反射型ホログラムが構成される。
【００９４】
図２２が示すように、積層ラベル２０は、ハーフミラー層２４と配向層２３との間に位置する密着層７１をさらに備えてもよい。ハーフミラー層２４は、ホログラム形成層７３におけるハーフミラー層２４と接する面が凹凸構造７３ａを有するため、凹凸構造７３ａに倣うミラー凹凸構造２４ｃを有する。
【００９５】
そのため、ハーフミラー層２４と配向層２３との間に密着層７１が位置することにより、ミラー凹凸構造２４ｃにおいて、ホログラム形成層７３とハーフミラー層２４とが重なる方向である積層方向での高低差が緩和される。それゆえに、配向層２３におけるハーフミラー層２４と向かい合う面が、配向層２３とハーフミラー層２４との間に密着層７１が位置しない構成と比べて平坦化される。結果として、ホログラム形成層７３の有する凹凸構造７３ａによって、配向層２３における分子の配列、ひいては、液晶層２２における分子の配向が影響されることを抑えることができる。密着層７１は、緩和層の一例である。
【００９６】
なお、密着層７１の位置には、上述したように、密着層７１の代わりに耐性向上層が位置してもよいし、密着性と耐性を高める機能との両方を備える層が位置してもよい。
このように、積層ラベル２０が、反射型ホログラムを有することで、積層ラベル２０の意匠性が高まることに加えて、積層ラベル２０を視認した人は、ホログラムに注意を引かれるため、積層ラベル２０の保持している潜像に気付きにくくなる。それゆえに、積層ラベル２０の有する潜像が、より認識されにくくなる。結果として、積層ラベル２０が、被判定体の偽造抑止体として用いられた場合には、被判定体の偽造に対する耐性が高まる。
【００９７】
・積層ラベル２０が、ホログラム形成層７３とハーフミラー層２４とによって構成される反射型ホログラムを備える構成では、積層ラベル２０が、密着層７１を備えていなくてもよい。
【００９８】
・図２３が示すように、積層ラベル２０は、転写箔として具体化することもできる。この場合には、積層ラベル２０は、ハーフミラー層２４と基材層２５との間に位置する耐候性向上層７２と離型層７４とを備え、耐候性向上層７２がハーフミラー層２４に接する層であり、かつ、離型層７４が基材層２５に接する層で有ればよい。こうした構成であっても、接着層２１とハーフミラー層２４との間に液晶層２２を備えるため、上述した（１）に準じた効果を得ることはできる。なお、積層ラベル２０が転写箔として具体化された構成では、基材層２５は透過性を有していなくてもよい。
【００９９】
・積層ラベル２０は、複数の密着層７１を備えてもよい。すなわち、積層ラベル２０は、図１７から図１９で説明された構成のうち、２つ以上の構成を組み合わせた構成であってもよい。あるいは、積層ラベルは、上述した密着層７１、耐候性向上層７２、ホログラム形成層７３、および、離型層７４のうち、２つ以上を備える構成であってもよい。
【０１００】
［その他の変形例］
また、上述した実施形態は、以下のように適宜変更して実施することもできる。
・積層体１０の貼り付けられる対象は、真贋判定の対象となる被判定体６０でなくともよく、例えば、積層体１０によって装飾される物品であってもよい。あるいは、積層体１０は、物品に貼り付けられることによって物品を修飾するために用いられるだけでなく、積層体１０そのものが観察の対象として用いられてもよい。
【０１０１】
・積層ラベル２０は、反射型ホログラムに限らず、透過型ホログラムを備えてもよい。こうした構成では、積層ラベル２０のうち、接着層２１に対する液晶層２２側に透過型のホログラムが位置してもよい。こうした構成によっても、積層ラベル２０には、ホログラムによる光学的な効果が付加されるため、液晶層２２の保持する潜像が認識されにくくなる。例えば、透過型ホログラムが、非偏光の透過によって再生像を形成する透過型ホログラムであれば、積層ラベル２０の観察者は、非偏光が積層ラベル２０を透過することによって、再生像を視認する。これにより、観察者は、透過型ホログラムの再生像に注意を引かれるため、液晶層２２の保持している潜像に気付きにくくなる。
【０１０２】
・積層ラベル２０は、散乱性基材１１を備えていなくてもよい。こうした構成では、積層体としての積層ラベル２０は、接着層２１を有しているため、積層ラベル２０が接着層２１を介して樹脂製のカードや紙などに貼り付けられる。そのため、通常は、積層ラベル２０のうちで、液晶層２２に対してハーフミラー層２４側が視認される。そして、積層ラベル２０が、液晶層２２に対するハーフミラー層２４側を視認される以上は、液晶層２２よりも接着層２１側である照射側の光の強度が、液晶層２２よりもハーフミラー層２４側である観察側の光の強度よりも高く、かつ、接着層２１に入射する光が偏光でなければ、液晶層２２の潜像は視認されない。
【符号の説明】
【０１０３】
１０，４０…積層体、１１…散乱性基材、２０，５０…積層ラベル、２１…接着層、２２…液晶層、２３…配向層、２４…ハーフミラー層、２４ａ…第１面、２４ｂ…第２面、２４ｃ…ミラー凹凸構造、２５…基材層、３０…画像、３１…背景、３２…情報、５１…反射層、６０…被判定体、６１…基体、７１…密着層、７２…耐候性向上層、７３…ホログラム形成層、７３ａ…凹凸構造、７４…離型層。
【図１】
2016045423.tif 000003
【図２】
2016045423.tif 000004
【図３】
2016045423.tif 000005
【図４】
2016045423.tif 000006
【図５】
2016045423.tif 000007
【図６】
2016045423.tif 000008
【図７】
2016045423.tif 000009
【図８】
2016045423.tif 000010
【図９】
2016045423.tif 000011
【図１０】
2016045423.tif 000012
【図１１】
2016045423.tif 000013
【図１２】
2016045423.tif 000014
【図１３】
2016045423.tif 000015
【図１４】
2016045423.tif 000016
【図１５】
2016045423.tif 000017
【図１６】
2016045423.tif 000018
【図１７】
2016045423.tif 000019
【図１８】
2016045423.tif 000020
【図１９】
2016045423.tif 000021
【図２０】
2016045423.tif 000022
【図２１】
2016045423.tif 000023
【図２２】
2016045423.tif 000024
【図２３】
2016045423.tif 000025